(57)【要約】【課題】プレイ単価の変更履歴に応じたゲーム機毎のプレイ実績の変動を容易に把握できる単価管理システム、収集端末及び管理サーバを提供すること。【解決手段】機器１０に対応付けされ、機器１０の利用単価を取得する単価取得部１１１と、利用単価の電子マネーによる決済時に、利用単価を含む利用実績データを作成する実績作成部１１２と、実績作成部１１２が作成した利用実績データを収集する実績収集部１２１と、収集した利用実績データを含む売上明細データを作成し、売上明細データを送信する明細送信部１２２と、明細送信部１２２から送信された売上明細データを受信する明細受信部３２２、および、利用単価の変更履歴を記録する履歴記録部３２１を有する管理サーバ３２と、を備える。【選択図】図２
2018037054.tif 000002
【特許請求の範囲】
【請求項１】
機器に対応付けされ、当該機器の利用単価を取得する単価取得部と、
前記利用単価の電子マネーによる決済時に、前記利用単価を含む利用実績データを作成する実績作成部と、
前記実績作成部が作成した前記利用実績データを収集する実績収集部と、
収集した前記利用実績データを含む売上明細データを作成し、前記売上明細データを送信する明細送信部と、
前記明細送信部から送信された前記売上明細データを受信する明細受信部、および、前記利用単価の変更履歴を記録する履歴記録部を有する管理サーバと、
を備える単価管理システム。
【請求項２】
前記管理サーバは、前記利用単価の予約設定を受け付け、受け付けた利用単価を履歴として前記履歴記憶部に記録させる単価設定部を更に有し、
前記単価取得部は、前記単価設定部または前記履歴記録部から前記受け付けた利用単価を取得することを特徴とする請求項１記載の単価管理システム。
【請求項３】
前記機器に対応して設定された利用単価の予約データを保管する単価管理部と、
前記機器の前記利用単価を当該機器に対応付けされた前記単価取得部へ通知する単価通知部と、
を有する管理端末を更に備え、
前記単価管理部は、前記予約データの変更入力を受け付けた場合、当該予約データを更新すると共に、更新データを前記履歴記録部へ送信する請求項１記載の単価管理システム。
【請求項４】
前記利用単価の変更入力を受け付ける単価変更部と、
変更された前記利用単価を前記単価取得部および前記履歴記録部へ通知する変更通知部と、が更に設けられている請求項1記載の単価管理システム。
【請求項５】
前記機器に対応して設定された利用単価の予約データを保管する単価管理部を有する管理端末を更に備え、
前記変更通知部は、前記単価取得部および前記履歴記録部の代わりに前記単価管理部へ変更された前記利用単価を通知し、
前記単価管理部は、前記変更通知部から通知された前記利用単価の変更情報を、前記予約データに反映して更新する請求項４記載の単価管理システム。
【請求項６】
前記機器には当該機器の前記利用単価が記憶され、
前記利用単価が記憶された前記機器と情報の送受信が可能に接続され、接続された前記機器から前記利用単価を取得し、取得した前記利用単価を前記単価取得部により取得された前記利用単価の代替とする単価切替部が更に設けられている請求項１記載の単価管理システム。
【請求項７】
前記決済に用いられた電子マネーの媒体に付与された媒体の個体を識別可能な媒体情報を取得する媒体情報取得部が更に設けられ、
前記明細送信部は、前記媒体情報取得から前記媒体情報を取得し、取得した前記媒体情報を前記売上明細データに付加する請求項１から６のいずれか１項に記載の単価管理システム。
【請求項８】
前記利用単価は、前記機器における利用種別に対応して設定され、
前記利用実績データは、前記利用種別を含む請求項１から７のいずれか１項に記載の単価管理システム。
【請求項９】
前記実績収集部は、前記機器から、投入されたコインに基づく前記利用実績データを収集する請求項１から８のいずれか１項に記載の単価管理システム。
【請求項１０】
前記明細送信部は、前記決済時の日時情報および前記利用実績データに関連する前記機器の識別情報の少なくとも一方を、前記売上明細データに付加する請求項１から９のいずれか１項に記載の単価管理システム。
【請求項１１】
前記単価取得部および前記実績作成部は、前記機器毎に設置される決済端末に設けられ、
前記実績収集部および前記明細送信部は、収集端末に設けられていることを特徴とする請求項１から１０のいずれか１項に記載の単価管理システム。
【請求項１２】
前記単価取得部、前記実績作成部、前記実績収集部および前記明細送信部は、一つの端末に設けられていることを特徴とする請求項１から１０のいずれか1項に記載の単価管理システム。
【請求項１３】
機器毎に対応付けされた単価取得部が取得した利用単価に基づく電子マネーによる決済時に、実績作成部が作成した前記利用単価を含む利用実績データを収集する実績収集部と、
収集した前記利用実績データを含む売上明細データを作成し、作成した前記売上明細データを前記管理サーバへ送信する明細送信部と、を備える収集端末。
【請求項１４】
機器毎のプレイ単価の変更履歴を記録する履歴記録部と、
前記利用単価の予約設定を受け付け、受け付けた前記利用単価を履歴として前記履歴記憶部に記録させる単価設定部と、
当該機器毎に設置された単価取得部が取得した前記利用単価に基づく電子マネーで決済時に作成された前記利用単価を含む利用実績データに基づいて作成された売上明細データを受信する明細受信部と、を備える管理サーバ。
【請求項１５】
機器における利用単価を取得する単価取得ステップと、
取得した前記利用単価に基づく電子マネーによる決済情報を取得する決済情報取得ステップと、
前記利用単価を含む利用実績データを作成する利用実績データ作成ステップと、
作成された前記利用実績データを収集する収集ステップと、
収集した前記利用実績データを含む売上明細データを作成する売上明細データ作成ステップと、
作成した前記売上明細データを管理サーバに送信する送信ステップと、
を有することを特徴とする単価管理方法。
【請求項１６】
コンピュータに、
機器における利用単価を取得する単価取得機能と、
取得した前記利用単価に基づく電子マネーによる決済情報を取得する決済情報取得機能と、
前記利用単価を含む利用実績データを作成する利用実績データ作成機能と、
を実現させることを特徴とするプログラム。
【請求項１７】
コンピュータに、
前記利用実績データ作成機能で作成された前記利用実績データを収集する収集機能と、
収集した前記利用実績データを含む売上明細データを作成する売上明細データ作成機能と、
作成した前記売上明細データを管理サーバに送信する送信機能と、
を更に実現させる請求項１６記載のプログラム。
【発明の詳細な説明】
【技術分野】
【０００１】
本発明は、機器の利用単価を管理するための単価管理システム、収集端末、管理サーバ、単価管理方法およびプログラムに関する。
【背景技術】
【０００２】
従来、ゲームセンタに配されるアーケードゲーム機（以下、ゲーム機）や、メダル貸出機やカード販売機などの機器は、店舗スタッフにより機器毎に利用単価が設定され、投入されたコインの種別及び数に応じて、ユーザに機器の利用、例えば機器がゲーム機の場合にはゲームのプレイを許可する。このプレイ単価は、通常の一般価格の他、例えば、イベント開催日、毎月５のつく日、毎週月曜日など、特別価格に変更されることも多い。この場合、多数のゲーム機それぞれに対して手作業で変更作業を行うと、スタッフの負荷が大きく、設定ミス又は不正なども起こりやすい。
【０００３】
このような状況において、例えば、特許文献１では、電子マネーの決済端末が付属したゲーム端末が周期的に店舗サーバにアクセスし、単価スケジュールに従った単価情報を得るゲームシステムが提案されている。
【先行技術文献】
【特許文献】
【０００４】
【特許文献１】特開２００７−４４２９０号公報
【発明の概要】
【発明が解決しようとする課題】
【０００５】
ところで、ゲームのプレイ単価が変更したことに応じて、プレイヤの行動にも変化が起こり得るため、このことが店舗の営業実績にも影響を及ぼす。
しかしながら、このようなプレイ単価の変更による影響を評価することは難しく、管理者が適切な単価スケジュールを設定することは難しかった。
【０００６】
本発明は、利用単価の変更履歴に応じた機器毎の利用実績の変動を容易に把握できる単価管理システム、収集端末及び管理サーバを提供することを目的とする。
【課題を解決するための手段】
【０００７】
本発明に係る単価管理システムは、機器に対応付けされ、当該機器の利用単価を取得する単価取得部と、前記利用単価の電子マネーによる決済時に、前記利用単価を含む利用実績データを作成する実績作成部と、前記実績作成部が作成した前記利用実績データを収集する実績収集部と、収集した前記利用実績データを含む売上明細データを作成し、前記売上明細データを送信する明細送信部と、前記明細送信部から送信された前記売上明細データを受信する明細受信部、および、前記利用単価の変更履歴を記録する履歴記録部を有する管理サーバと、
を備える。
【０００８】
上記発明の単価管理システムにおいて前記管理サーバは、前記利用単価の予約設定を受け付け、受け付けた利用単価を履歴として前記履歴記憶部に記録させる単価設定部を更に有し、前記単価取得部は、前記単価設定部または前記履歴記録部から前記受け付けた利用単価を取得することが好ましい。
【０００９】
上記発明の単価管理システムにおいては、前記機器に対応して設定された利用単価の予約データを保管する単価管理部と、前記機器の前記利用単価を当該機器に対応付けされた前記単価取得部へ通知する単価通知部と、を有する管理端末を更に備え、前記単価管理部は、前記予約データの変更入力を受け付けた場合、当該予約データを更新すると共に、更新データを前記履歴記録部へ送信することが好ましい。
【００１０】
上記発明の単価管理システムにおいては、前記利用単価の変更入力を受け付ける単価変更部と、変更された前記利用単価を前記単価取得部および前記履歴記録部へ通知する変更通知部と、が更に設けられていることが好ましい。
【００１１】
上記発明の単価管理システムにおいては、前記機器に対応して設定された利用単価の予約データを保管する単価管理部を有する管理端末を更に備え、前記変更通知部は、前記単価取得部および前記履歴記録部の代わりに前記単価管理部へ変更された前記利用単価を通知し、前記単価管理部は、前記変更通知部から通知された前記利用単価の変更情報を、前記予約データに反映して更新することが好ましい。
【００１２】
上記発明の単価管理システムにおいては、前記機器には当該機器の前記利用単価が記憶され、前記利用単価が記憶された前記機器と情報の送受信が可能に接続され、接続された前記機器から前記利用単価を取得し、取得した前記利用単価を前記単価取得部により取得された前記利用単価の代替とする単価切替部が更に設けられていることが好ましい。
【００１３】
上記発明の単価管理システムにおいては、前記決済に用いられた電子マネーの媒体に付与された媒体の個体を識別可能な媒体情報を取得する媒体情報取得部が更に設けられ、前記明細送信部は、前記媒体情報取得から前記媒体情報を取得し、取得した前記媒体情報を前記売上明細データに付加することが好ましい。
【００１４】
上記発明の単価管理システムにおいて前記利用単価は、前記機器における利用種別に対応して設定され、前記利用実績データは、前記利用種別を含むことが好ましい。
上記発明の単価管理システムにおいて前記実績収集部は、前記機器から、投入されたコインに基づく前記利用実績データを収集することが好ましい。
【００１５】
上記発明の単価管理システムにおいて前記明細送信部は、前記決済時の日時情報および前記利用実績データに関連する前記機器の識別情報の少なくとも一方を、前記売上明細データに付加することが好ましい。
【００１６】
上記発明の単価管理システムにおいて前記単価取得部および前記実績作成部は、前記機器毎に設置される決済端末に設けられ、前記実績収集部および前記明細送信部は、収集端末に設けられていることが好ましい。
【００１７】
上記発明の単価管理システムにおいて前記単価取得部、前記実績作成部、前記実績収集部および前記明細送信部は、一つの端末に設けられていることが好ましい。
本発明に係る収集端末は、機器毎に対応付けされた単価取得部が取得した利用単価に基づく電子マネーによる決済時に、実績作成部が作成した前記利用単価を含む利用実績データを収集する実績収集部と、収集した前記利用実績データを含む売上明細データを作成し、作成した前記売上明細データを前記管理サーバへ送信する明細送信部と、を備える。
【００１８】
本発明に係る管理サーバは、機器毎のプレイ単価の変更履歴を記録する履歴記録部と、前記利用単価の予約設定を受け付け、受け付けた前記利用単価を履歴として前記履歴記憶部に記録させる単価設定部と、当該機器毎に設置された単価取得部が取得した前記利用単価に基づく電子マネーで決済時に作成された前記利用単価を含む利用実績データに基づいて作成された売上明細データを受信する明細受信部と、を備える。
【００１９】
本発明に係る単価管理方法は、機器における利用単価を取得する単価取得ステップと、取得した前記利用単価に基づく電子マネーによる決済情報を取得する決済情報取得ステップと、前記利用単価を含む利用実績データを作成する利用実績データ作成ステップと、作成された前記利用実績データを収集する収集ステップと、収集した前記利用実績データを含む売上明細データを作成する売上明細データ作成ステップと、作成した前記売上明細データを管理サーバに送信する送信ステップと、を有する。
【００２０】
本発明に係るプログラムは、コンピュータに、機器における利用単価を取得する単価取得機能と、取得した前記利用単価に基づく電子マネーによる決済情報を取得する決済情報取得機能と、前記利用単価を含む利用実績データを作成する利用実績データ作成機能と、を実現させる。
【００２１】
上記発明のプログラムにおいては、コンピュータに、前記利用実績データ作成機能で作成された前記利用実績データを収集する収集機能と、収集した前記利用実績データを含む売上明細データを作成する売上明細データ作成機能と、作成した前記売上明細データを管理サーバに送信する送信機能と、を更に実現させることが好ましい。
【発明の効果】
【００２２】
本発明の単価管理システム、収集端末、管理サーバ、単価管理方法およびプログラムによれば、利用単価の変更履歴に応じた機器毎の利用実績の変動を容易に把握できる。
【図面の簡単な説明】
【００２３】
【図１】実施形態に係る単価管理システムの全体構成を示す図である。
【図２】実施形態に係る単価管理システムの機能構成を示す図である。
【図３】実施形態に係るプレイ単価の設定、及び設定されたプレイ単価を含む売上明細の収集処理を示すシーケンス図である。
【図４】実施形態に係る管理端末における単価変更に応じた処理を示すシーケンス図である。
【図５】実施形態に係る決済端末における単価変更に応じた処理を示すシーケンス図である。
【図６】実施形態の変形例に係る単価管理システムの機能構成を示す図である。
【図７】実施形態に係る単価管理システムの他の機能構成を示す図である。
【図８】実施形態に係る単価管理システムの更に他の全体構成を示す図である。
【図９】実施形態に係る単価管理システムに情報処理端末が加わった全体構成を示す図である。
【図１０】実施形態に係る単価管理システムに情報処理端末が加わった他の全体構成を示す図である。
【発明を実施するための形態】
【００２４】
以下、本発明の実施形態の一例について説明する。
図１は、本実施形態に係る単価管理システム１の全体構成を示す図である。
単価管理システム１は、ゲームセンタの店舗に設置される複数のゲーム機（機器）１０、決済端末１１、収集端末１２、決済装置２１、管理端末２２及び中継サーバ２３と、外部のデータセンタなどに設置される電子マネー管理サーバ３１及び売上管理サーバ（管理サーバ）３２と、ユーザ端末４０とを備える。
【００２５】
決済端末１１は、ゲーム機１０に対応付けされるものである。決済端末１１は、プレイヤの電子マネーカードに記録されているカード情報を、非接触の無線通信により読み取り、設定されているプレイ単価（利用単価）の情報と共に決済装置２１へ出力した後、決済装置２１で決済された決済情報を受信するものでもある。受信された決済情報は、電子マネー管理サーバ３１に送信される。決済端末１１は、ゲーム機１０と１対１に対応付けされていてもよいし、複数のゲーム機１０に対して１つの決済端末１１が対応付けされていてもよいし、１つのゲーム機１０に対して複数の決済端末１１が対応付けされていてもよい。
【００２６】
決済端末１１をゲーム機１０に対応付けする方法としては、決済端末１１をゲーム機１０に一体として設置してもよいし、決済端末１１とゲーム機１０とが分離して設置され、かつ、決済端末１１を識別可能なシリアル番号のような個体に固有な情報と、ゲーム機１０を識別可能なシリアル番号のような個体に固有な情報と、を紐付けすることにより対応付けしてもよい。
【００２７】
なお、決済端末１１と決済装置２１とは、１つの決済端末１１と１つの決済装置２１とが対応づけして配置されていてもよいし、複数の決済端末１１と１つの決済装置２１とが対応づけして配置されていてもよいし、複数の決済端末１１と複数の決済装置２１とが対応付けして配置されていてもよい。
【００２８】
なお、決済端末１１は、決済装置２１の機能を併せ持っていてもよい。また、決済装置２１は、外部のサーバ（例えば、電子マネー管理サーバ３１）として提供されてもよい。
収集端末１２は、ゲーム機１０に対応付けされるものである。収集端末１２は、ゲーム機１０に投入されたコインを選別するコインメックから出力されたパルス信号を現金決済に基づくプレイ実績データ（利用実績データ）として受信するものであり、また、収集端末１２は、決済端末１１から、電子マネーによる決済に基づくプレイ実績データを受信するものでもある。収集端末１２は、ゲーム機１０と１対１に対応付けされていてもよいし、１つのゲーム機１０に対して複数の収集端末１２が対応付けされていてもよいし、複数のゲーム機１０に対して１つの収集端末１２が対応付けされていてもよい。
【００２９】
これらのプレイ実績データを受信したことに応じて、収集端末１２ではゲーム機１０に対してゲームのプレイ開始を指示するためのパルス信号が生成され、生成されたパルス信号は収集端末１２から出力される。
【００３０】
また、収集端末１２は、受信して収集したプレイ実績データに基づく売上明細データを作成する。作成した売上明細データは、収集端末１２から中継サーバ２３を介して売上管理サーバ３２へ送信される。ここで、中継サーバ２３は、収集端末１２から受信した売上明細データを、売上管理サーバ３２へ送信するものである。
【００３１】
管理端末２２は、ゲーム機１０に対応付けされた決済端末１１に設定されるプレイ単価を管理するものであり、決済端末１１からの例えば営業日毎のアクセスに応じて、プレイ単価を返信するものである。このプレイ単価は、売上管理サーバ３２から予約データとして取得し、管理される。また、管理端末２２は決済装置２１との間で決済に関する情報の送受信が可能に接続されている。
【００３２】
ユーザ端末４０は、売上管理サーバ３２にアクセスするアプリケーションを実行することにより、ゲーム機１０の登録、及びゲーム機１０毎のプレイ単価の予約データの登録を行うものである。
【００３３】
また、ユーザ端末４０は、売上管理サーバ３２により提供される売上明細データを照会するとともに、プレイ単価の履歴と対応付けて、各種の管理データを取得するものでもある。
【００３４】
図２は、本実施形態に係る単価管理システム１における各装置の機能構成を示す図である。なお、この機能構成は、本実施形態の処理を実現するための機能部を示し、各装置において、他の機能ブロックの実装を制限するものではない。
【００３５】
決済端末１１は、ＣＰＵ（中央演算処理ユニット）、ＲＯＭ、ＲＡＭおよび入出力インタフェース等を有する情報処理装置である。上述のＲＯＭ等の記憶装置に記憶されている制御プログラムは、ＣＰＵ、ＲＯＭ、ＲＡＭおよび入出力インタフェース等を協働させることにより、主に、単価取得部１１１と、実績送信部（実績作成部）１１２と、単価変更部１１３と、変更通知部１１４と、単価切替部１１５と、カード情報取得部（媒体情報取得部）１１６として機能させるものである。
【００３６】
単価取得部１１１は、ゲーム機１０毎のプレイ単価を、売上管理サーバ３２から管理端末２２を介して取得するものである。具体的には、単価取得部１１１は、後述する管理端末２２の単価管理部２２１において管理されているプレイ単価の予約データにアクセスし、現在のプレイ単価、あるいは、例えば当日又は数日分のプレイ単価のスケジュールを取得して記憶する。プレイ単価のスケジュールは、日毎に、又は１日の中でも時刻指定（例えば、○時△分から□時まで）により細かく設定されてもよい。
【００３７】
実績送信部１１２は、電子マネーの決済時に、決済時点のプレイ単価を含むプレイ実績データを作成するものであり、作成したプレイ実績データを後述する収集端末１２の実績収集部１２１へ送信するものである。
【００３８】
ここで、プレイ単価は、ゲーム機１０自体に設定されているプレイ種別（利用種別）に対応して設定された単価（例えば１回１００円、５回３００円など）に対応付けて、複数（例えば、最大６個）設定される。プレイ実績データは、このプレイ種別に相当する情報として、例えば、ゲーム機１０の投入金額の単位（例えば、１００円）の何個分に相当するプレイ単価が決済されたかを示すデータ（パルス数）を含む。例えば、プレイ単価「２５０円」とパルス数「３」とが対応付けられている場合、電子マネーによる２５０円の決済により、ゲーム機１０に対して３００円に相当する３つのパルス信号が送信され、「５回３００円」のプレイが許可される。
【００３９】
単価変更部１１３は、例えば管理用のカードを読み取るなど、所定の操作入力に応じて、後述する管理端末２２の単価通知部２２２から受信し設定されたプレイ単価及びパルス数の組み合わせに対して、当日の変更入力を受け付けるものである。
【００４０】
変更通知部１１４は、単価変更部１１３において変更入力が受け付けられたプレイ単価及びパルス数の組み合わせを、管理端末２２の単価管理部２２１へ通知するものである。
単価切替部１１５は、ゲーム機１０と直接接続する機器連動モードなどの所定の動作モードにおいて、ゲーム機１０から、予め設定されている初期プレイ単価（ゲーム開始のための課金額）を受信するものであり、受信した初期プレイ単価を単価取得部１１１により取得されたプレイ単価の代替として設定するものである。この機器連動モードでは、決済端末１１は、ゲーム開始のための課金の他、ゲーム内でのアイテム課金など様々な課金に対応できる。
【００４１】
また、この機器連動モードの場合、実績送信部１１２は、電子マネーの決済時に、決済時点のプレイ単価を含むプレイ実績データを作成し、作成したプレイ実績データを収集端末１２へ送信すると共に、決済の結果をゲーム機１０に通知する。
【００４２】
カード情報取得部１１６は、電子マネーの媒体として用いられるカード（例えば、Ｅｄｙ（登録商標）や交通系ＩＣカード等のプリペイド型電子マネーサービスに用いられるＩＣカード）の１枚ごとに付与された個体識別情報である媒体情報を取得するものである。取得された媒体情報は、実績送信部１１２を介して後述する実績収集部１２１を介して明細送信部１２２へ送られ、明細送信部１２２で作成される売上明細データに含まれる。
【００４３】
本実施形態では、媒体情報が実績送信部１１２を介して送られる際に、媒体情報が決済に関連する他の情報と紐付けされた状態でプレイ実績データに含まれている例に適用して説明する。なお、プレイ実績データに媒体情報が含まれない場合には、明細送信部１２２において売上明細データが作成される際に、媒体情報と決済に関連する他の情報と紐付けが行われる。
【００４４】
このように媒体情報を決済に関連する他の情報と紐付けされて売上明細データに含ませることにより、プレイ単価の変更履歴に応じたゲーム機毎のプレイ実績の変動をより精緻に解析することが可能となる。つまり媒体情報を利用することにより、その電子マネーのカードを所有する個人についてのプレイ実績を抽出することが可能となる。これにより、例えば、プレイ単価を変更したことによる、個人がプレイするゲーム機の傾向の変化も解析することが可能となる。
【００４５】
なお、電子マネーの媒体として用いられるカードは、交通機関を利用する際に用いられるものであっても良いし、コンビニエンスストアやスーパーマーケット等での支払いに用いられるものであって良いし、特定の店舗でのみ利用可能なものであっても良い。更に、電子マネーの媒体として用いられるものは上述のカードに限られるものではなく、種々の公知の形状に形成されたものであっても良いし、携帯電話などの他の機器に組み込まれたものであっても良い。また、プリペイド型電子マネーサービス以外の後払い型の電子マネーサービスに用いられる媒体であっても良い。
【００４６】
なお、電子マネーの媒体として用いられるカードからの情報取得に用いられる端末（図示せず。）、言い換えると、決済の際にカードが近づけられる端末としては公知のものを用いることができる。また、この端末は、決済端末１１の内部に一体となるように配置されていても良いし、決済端末１１の外部に別体となるように配置されていても良い。
【００４７】
管理端末２２は、ＣＰＵ（中央演算処理ユニット）、ＲＯＭ、ＲＡＭおよび入出力インタフェース等を有する情報処理装置である。上述のＲＯＭ等の記憶装置に記憶されている制御プログラムは、ＣＰＵ、ＲＯＭ、ＲＡＭおよび入出力インタフェース等を協働させることにより、単価管理部２２１と、単価通知部２２２として機能させるものである。
【００４８】
単価管理部２２１は、売上管理サーバ３２から受信した、ゲーム機１０に対応して設定されたプレイ単価及びパルス数の組み合わせの予約データを保管するものである。また、単価管理部２２１は、店舗の管理者などから予約データの変更入力を受け付けた場合、この予約データを更新すると共に、更新データを売上管理サーバ３２の単価設定部３２１へ送信するものである。
【００４９】
さらに、単価管理部２２１は、決済端末１１から通知されたプレイ単価及びパルス数の組み合わせの変更情報を、保管している予約データに反映して更新すると共に、更新データを売上管理サーバ３２へ送信するものである。
【００５０】
単価通知部２２２は、決済端末１１の単価取得部１１１からのアクセスに応じて、この決済端末１１が設置されたゲーム機１０のプレイ単価及びパルス数の組み合わせを通知するものである。
【００５１】
なお、単価通知部２２２は、プレイ単価及びパルス数の組み合わせに変更がないゲーム機１０について、これらの通知を省略してもよい。この場合、単価通知部２２２は、蓄積された予約データに基づいて、スケジュールの変更がないことを判断してもよいし、決済端末１１から現在のプレイ単価を受信して、スケジュールの変更がないことを判断してもよい。これにより、単価管理システム１において、プレイ単価の一括配信又は個別配信が適宜設定可能となり、配信処理が効率化される。
【００５２】
収集端末１２は、ＣＰＵ（中央演算処理ユニット）、ＲＯＭ、ＲＡＭおよび入出力インタフェース等を有する情報処理装置である。上述のＲＯＭ等の記憶装置に記憶されている制御プログラムは、ＣＰＵ、ＲＯＭ、ＲＡＭおよび入出力インタフェース等を協働させることにより、実績収集部１２１と、明細送信部１２２として機能させるものである。
【００５３】
実績収集部１２１は、決済端末１１との間で送受信を行うことによりからプレイ実績データを受信して収集するものである。また、実績収集部１２１は、ゲーム機１０との間で送受信を行うことにより、投入されたコインに基づくプレイ実績データを受信して収集するものでもある。
【００５４】
実績収集部１２１は、プレイ実績データを受信すると、ゲーム機１０へ決済結果としてプレイ種別に相当するパルス信号を送信するものであり、送信したパルス信号は、受信したゲーム機１０においてパルス数に対応したプレイ種別のゲームを開始させるものである。なお、前述の機器連動モードの場合、決済結果は決済端末１１からゲーム機１０へ送信されているため、収集端末１２からゲーム機１０へは送信されない。
【００５５】
明細送信部１２２は、受信したプレイ実績データに、決済の日時情報及びゲーム機１０の識別情報などを付加した売上明細データを作成するものであり、中継サーバ２３を介して売上管理サーバ３２へ作成した売上明細データを送信するものである。
【００５６】
なお、売上明細データには、電子マネーによる決済またはコインの投入による決済を含む現金による決済が機器連動モードにおいて行われたか、それ以外のモードにおいて行われたかを識別する情報も含まれている。売上明細データに決済が機器連動モードにおいて行われたか、それ以外のモードにおいて行われたかを識別する情報を含めることにより、ゲーム機１０の利用状況が更に詳細に把握することが可能となり、利用実績の解析精度を向上させやすくなる。
【００５７】
ここで、ゲーム機１０の識別情報は、例えば、ゲーム機１０に設置された収集端末１２のＩＤであってもよい。この場合、売上管理サーバ３２において、ＩＤとゲーム機１０の識別情報とが紐付けて管理される。
【００５８】
売上管理サーバ３２は、ＣＰＵ（中央演算処理ユニット）、ＲＯＭ、ＲＡＭおよび入出力インタフェース等を有する情報処理装置である。上述のＲＯＭ等の記憶装置に記憶されている制御プログラムは、ＣＰＵ、ＲＯＭ、ＲＡＭおよび入出力インタフェース等を協働させることにより、単価設定部（履歴記録部）３２１と、明細受信部３２２として機能させるものである。
【００５９】
単価設定部３２１は、ユーザ端末４０からプレイ単価及び対応するプレイ種別を示すデータ（パルス数）の予約設定を受け付けるものであり、この受け付けたプレイ単価及びパルス数の組み合わせについて、今後のスケジュール及び過去の変更履歴を記録するものでもある。
【００６０】
明細受信部３２２は、明細送信部１２２から送信された売上明細データを受信するものであり、プレイ単価及びプレイ種別の変更履歴と対応づけて記録するものである。例えば、売上明細データは、同一のプレイ単価の継続期間毎に区分されて管理される。
【００６１】
次に、本実施形態に係るプレイ単価の設定、及び設定されたプレイ単価を含む売上明細の収集処理について図３を参照しながら説明する。図３は、本実施形態に係るプレイ単価の設定、及び設定されたプレイ単価を含む売上明細の収集処理を示すシーケンス図である。
【００６２】
ステップＳ１において、売上管理サーバ３２の単価設定部３２１は、ユーザ端末４０からの入力に基づいて、ゲーム機１０毎のプレイ単価の予約データである単価予約データを生成する。単価予約データを生成すると、ステップＳ２において、売上管理サーバ３２の単価設定部３２１は、生成した単価予約データを、管理端末２２の単価管理部２２１へ送信する。
【００６３】
ステップＳ３において、例えば店舗の毎日の営業開始前など所定のタイミングに、複数の決済端末１１の単価取得部１１１は、それぞれ、管理端末２２の単価通知部２２２にプレイ単価の問い合わせを行う。
【００６４】
ステップＳ４において、管理端末２２の単価通知部２２２は、問い合わせに応答して、ゲーム機１０毎に予約されているプレイ単価を単価取得部１１１へ送信する（単価取得ステップ）。ステップＳ５において、決済端末１１の単価取得部１１１は、単価通知部２２２から受信したプレイ単価により現在の設定を更新する。
【００６５】
ステップＳ６において、決済端末１１は、プレイヤが選択したプレイ種別に応じて、電子マネーによる決済を実行し、電子マネーによる決済情報を取得する（決済情報取得ステップ）。この際、カード情報取得部１１６により電子マネーの媒体として用いられるカードの媒体情報も取得される。
【００６６】
ステップＳ７において、決済端末１１の実績送信部１１２は、決済を行ったプレイ単価および媒体情報を含むプレイ実績データを作成し（利用実績データ作成ステップ）、作成したプレイ実績データを収集端末１２の実績収集部１２１へ送信する。実績収集部１２１は送信されたプレイ実績データを受信して収集する（収集ステップ）。
【００６７】
ステップＳ８において、収集端末１２の明細送信部１２２は、プレイ実績データに日時情報及びゲーム機１０の識別情報を付加し、売上明細データを作成する（売上明細データ作成ステップ）。ステップＳ９において、収集端末１２の明細送信部１２２は、売上明細データを、中継サーバ２３を介して、売上管理サーバ３２へ送信する（送信ステップ）。
【００６８】
次に、本実施形態に係る管理端末２２における単価変更に応じた処理について図４を参照しながら説明する。図４は、本実施形態に係る管理端末２２における単価変更に応じた処理を示すシーケンス図である。
【００６９】
ステップＳ１１において、管理端末２２の単価管理部２２１は、単価変更の入力を受け付け、予約データの更新を行う。ステップＳ１２において、管理端末２２の単価管理部２２１は、予約されたプレイ単価の更新データを、売上管理サーバ３２へ送信する。ステップＳ１３において、売上管理サーバ３２の単価設定部３２１は、受信した更新データに基づいて、プレイ単価の履歴を更新し記録する。
【００７０】
ステップＳ１４において、決済端末１１の単価取得部１１１は、所定のタイミングで、管理端末２２の単価通知部２２２にプレイ単価の問い合わせを行う。ステップＳ１５において、管理端末２２の単価通知部２２２は、問い合わせに応答して、ゲーム機１０毎に予約されているプレイ単価を単価取得部１１１へ送信する（単価取得ステップ）。ステップＳ１６において、決済端末１１の単価取得部１１１は、受信したプレイ単価により現在の設定を更新する。
【００７１】
なお、本実施形態では、ステップＳ１２およびステップＳ１３の処理が行われてから、ステップＳ１４からステップＳ１６までの処理が行われる例に適用して説明したが、ステップＳ１４からステップＳ１６までの処理を行った後に、ステップＳ１２およびステップＳ１３の処理を行ってもよい。
【００７２】
次に、本実施形態に係る決済端末１１における単価変更に応じた処理について図５を参照しながら説明する。図５は、本実施形態に係る決済端末１１における単価変更に応じた処理を示すシーケンス図である。
【００７３】
ステップＳ２１において、決済端末１１の単価変更部１１３は、ゲーム機１０毎にプレイ単価の変更入力を受け付ける。単価通知部２２２から受信した予約データにより設定されたプレイ単価は、単価変更部１１３が変更入力を受け付けたプレイ単価に更新される。ステップＳ２２において、決済端末１１の変更通知部１１４は、更新したプレイ単価を、管理端末２２の単価管理部２２１へ送信する。
【００７４】
ステップＳ２３において、管理端末２２の単価管理部２２１は、更新されたプレイ単価を受信し、保管している予約データに対して受信した更新されたプレイ単価を加える更新を行う。
【００７５】
ステップＳ２４において、管理端末２２の単価管理部２２１は、更新が行われた予約データを、売上管理サーバ３２の単価設定部３２１へ送信する。ステップＳ２５において、売上管理サーバ３２の単価設定部３２１は、受信した更新が行われた予約データに基づいて、プレイ単価の履歴を更新し記録する。
【００７６】
本実施形態によれば、単価管理システム１は、売上管理サーバ３２においてゲーム機１０毎に設定されたプレイ単価を、店舗のゲーム機１０へ配信できる。さらに、設定されたプレイ単価によるゲームのプレイ実績を収集した売上明細データを、売上管理サーバ３２が受信し、管理できる。
【００７７】
これにより、単価管理システム１は、プレイ単価の変更履歴と売上明細データとを売上管理サーバ３２で対応付けて管理できる。この結果、管理者は、プレイ単価の変更履歴に応じたゲーム機毎のプレイ実績の変動、例えば売上がどう変化したか、又はプレイ種別及びプレイ頻度がどう変化したかなどを容易に把握できる。
【００７８】
したがって、管理者は、売上管理サーバ３２にアクセスすることにより、売上明細を参照しつつ、プレイ単価の予約を行うことができ、単価変更の影響を容易に把握できるので、今後のプレイ単価を適切に設定できる。
【００７９】
単価管理システム１は、各店舗において、管理端末２２又は決済端末１１からプレイ単価の変更入力を受け付ける。プレイ単価の変更は、管理端末２２を介して売上管理サーバ３２に通知され、現場における当日の変更についても履歴として管理される。
【００８０】
したがって、単価管理システム１は、プレイ単価の柔軟な変更を可能にしつつ、変更履歴を一元管理できる。この結果、管理者は、売上管理サーバ３２の管理データを参照し、プレイ単価の設定ミス又は不正な設定などを容易に発見できる。
【００８１】
また、イベントなどに連動したり、閉店間際に割引したりといった当日中のプレイ単価の変更に対しても、変更されたプレイ単価による売上明細データと、プレイ単価の変更履歴とが日時情報及びゲーム機１０の識別情報により対応づけられて、容易に参照できる。
【００８２】
単価管理システム１は、ゲーム機１０毎に、プレイ種別に対応したプレイ単価をそれぞれ設定できる。これにより、単価設定の利便性を向上できると共に、プレイ単価の変更に伴い売上明細におけるプレイ種別がどう変化したかを容易に把握できる。
【００８３】
単価管理システム１は、収集端末１２において、電子マネーによるプレイ実績データに加えて、コイン投入によるプレイ実績データも収集できる。したがって、売上管理サーバ３２は、決済方法によらない売上明細、及び決済方法別の売上明細を取得できる。
【００８４】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。例えば、本実施形態に記載された装置構成や、後述する実施形態の装置構成を適宜組み合わせてもよい。
【００８５】
前述の装置構成は一例であり、これには限られない。例えば、単価管理システム１は、決済装置２１および管理端末２２が図１に示すように店舗に設けられていてもよいし、決済装置２１および管理端末２２が図６に示すようにデータセンタに設けられていてもよい。図６では中継サーバ２３が設けられていない例が図示されているが、中継サーバ２３は設けられていてもよい。
【００８６】
また、図７に示すように、単価管理システム１Ａは、ゲームセンタの店舗に設置される複数のゲーム機１０、端末１１Ａ、決済装置２１、管理端末２２及び中継サーバ２３と、外部のデータセンタなどに設置される電子マネー管理サーバ３１及び売上管理サーバ３２と、ユーザ端末４０とを備える構成であってもよい。ここで示す端末１１Ａは、図２で示す決済端末１１及び収集端末１２の両者の機能を併せ持つものである。
【００８７】
さらに、図７の実績収集部１２１で行われている電子マネー決済時にゲーム機１０に向けてコインパルスを出力する処理、および、コイン投入によるプレイ実績データの収集の処理は、実績収集部１２１とは異なる基板に設けられた集積回路等で処理されていてもよい。
【００８８】
また、図８に示すように単価管理システム１Ｂは、図１の単価管理システム１のように決済装置２１および管理端末２２が別々設けられているのとは異なり、両者が一体となった決済装置２１Ｂを備える構成であり、かつ、決済装置２１Ｂがデータセンタに配置される構成であってもよい。決済装置２１Ｂは、図１の単価管理システム１における決済装置２１および管理端末２２が一体に構成されている点を除くと、そこで行われる演算処理等を含め決済装置２１および管理端末２２と同じである。
【００８９】
あるいは、決済装置２１Ｂは上述のように決済装置２１および管理端末２２が一体となったものであってもよいし、決済装置２１の機能のみを有するものであってもよい。この場合、決済端末１１における変更通知部１１４から出力されるプレイ単価及びパルス数の組み合わせはである更新データは売上管理サーバ３２の単価設定部３２１に入力される。
【００９０】
さらに単価管理システム１Ｂにおいては、中継サーバ２３が設けられず収集端末１２から売上管理サーバ３２へ、売上明細データが送信されている点が図１の単価管理システム１と異なっている。なお、単価管理システム１Ｂにおいて中継サーバ２３が収集端末１２と売上管理サーバ３２の間に設けられていてもよいし、単管理システム１や、後述する単価管理システム１Ｃや単価管理システム１Ｄにおいて単価管理システム１Ｂと同様に中継サーバ２３が設けられていなくてもよい。
【００９１】
また単価管理システム１Ｂにおいては、決済装置２１Ｂと電子マネー管理サーバ３１とが別々に設けられている構成に適用して説明されているが、決済装置２１Ｂと電子マネー管理サーバ３１とが一体とされた構成であってもよい。更には単価管理システム１Ｂや、後述する単価管理システム１Ｃや単価管理システム１Ｄにおいて、電子マネー管理サーバ３１が設けられていない構成であってもよい。
【００９２】
その他に、本実施形態では、単価管理システム１における店舗に設置された機器がゲーム機１０であり、利用単価がプレイ単価であり、利用実績データがプレイ実績データである例に適用して説明したが、店舗に設置された機器はメダル貸出機や、カード販売機や、カプセル入りの玩具の自動販売機（カプセルトイ）であってもよい。機器がメダル貸出機の場合には、利用単価は貸出単価であり、利用実績データは貸出実績データである。また機器がカード販売機や自動販売機の場合には、利用単価は販売単価であり、利用実績データは販売実績データである。
【００９３】
例えば、図９に示すように単価管理システム１Ｃにおける店舗に設置された機器が情報端末１０Ｃであってもよい。情報端末１０Ｃには、ゲーム機１０の他に、メダル貸出機や、カード販売機や、カプセル入りの玩具の自動販売機（カプセルトイ）も含まれる。
【００９４】
情報端末１０Ｃは、決済端末１１と電子マネーの決済情報の伝達が可能に接続されるものである。決済端末１１から電子マネーによる決済が行われたことを示す情報である決済情報が入力されると、情報端末１０Ｃは決済に対応した動作を行う制御を行う。例えば、ゲーム機１０であればゲームをスタートさせる制御を行い、メダル貸出機であればメダルを排出する制御を行い、カード販売機であればカードを排出する制御を行い、カプセルトイであればカプセル入りの玩具を排出する制御を行う。
【００９５】
また情報端末１０Ｃは、ゲーム機１０を時間貸しする際のプレイ単価を決済端末１１に出力することもできる。プレイヤが電子マネーで決済する場合には、決済端末１１は情報端末１０Ｃから取得したプレイ単価に基づいて決済を行う。
【００９６】
情報端末１０Ｃと決済端末１１との接続方法は、有線を用いた情報通信を行う接続方法であってもよいし、無線を用いた情報通信を行う接続方法であってもよいし、記憶媒体を用いた情報通信を行う接続方法であってもよい。
【００９７】
また、図１０に示すように単価管理システム１Ｄにおける店舗に設置された機器が情報端末１０Ｄであってもよい。情報端末１０Ｄには、ゲーム機１０の他に、メダル貸出機や、カード販売機や、カプセル入りの玩具の自動販売機（カプセルトイ）や、ラップトップコンピュータ（ノート型コンピュータ）や、タブレット型コンピュータなどであってもよい。
【００９８】
情報端末１０Ｄは、収集端末１２と情報の伝達が可能に接続されていると共に、収集端末１２を介して決済端末１１と電子マネーの決済情報の伝達が可能に接続されている。決済端末１１から電子マネーによる決済が行われたことを示す情報である決済情報が入力されると、情報端末１０Ｄは決済に対応した動作を行う制御を行う。
【００９９】
また情報端末１０Ｄは、収集端末１２を介してゲーム機１０を時間貸しする際のプレイ単価を決済端末１１に出力することもできる。プレイヤが電子マネーで決済する場合には、決済端末１１は情報端末１０Ｄから取得したプレイ単価に基づいて決済を行う。
【０１００】
プレイヤが時間貸しする際のプレイ単価を現金で店舗側に支払う場合には、情報端末１０Ｄに現金で支払われた額が入力される。情報端末１０Ｄは、入力された現金で支払われた額の情報を収集端末１２に出力する。
【０１０１】
なお、時間貸しをする対象としては、上述のようにゲーム機１０であってもよいし、店舗に設置された機器はメダル貸出機や、カード販売機や、カプセル入りの玩具の自動販売機であってもよい。
【０１０２】
更に、図１の店舗に設置される管理端末２２、中継サーバ２３が省略され、決済端末１１及び収集端末１２は直接、売上管理サーバ３２に接続されてもよい。また、例えば、複数の収集端末１２と無線接続される親端末が設けられ、さらに中継サーバ２３を介して売上管理サーバ３２に接続されてもよい。
【０１０３】
単価管理システム１による単価管理方法は、ソフトウェアにより実現される。ソフトウェアによって実現される場合には、このソフトウェアを構成するプログラムが、情報処理装置（コンピュータ）にインストールされる。また、これらのプログラムは、ＣＤ−ＲＯＭのようなリムーバブルメディアに記録されて配布されてもよいし、ネットワークを介してコンピュータにダウンロードされることにより配布されてもよい。さらに、これらのプログラムは、ハードウェアモジュール（チップセット）として組み込まれて配布されてもよい。
【符号の説明】
【０１０４】
１，１Ａ，１Ｂ，１Ｃ，１Ｄ  単価管理システム
１０  ゲーム機（機器）
１０Ｃ，１０Ｄ  情報端末（機器）
１１  決済端末
１１Ａ  端末
１２  収集端末
２１，２１Ｂ  決済装置
２２  管理端末
２３  中継サーバ
３１  電子マネー管理サーバ
３２  売上管理サーバ（管理サーバ）
４０  ユーザ端末
１１１  単価取得部
１１２  実績送信部（実績作成部）
１１３  単価変更部
１１４  変更通知部
１１５  単価切替部
１１６  カード情報取得部（媒体情報取得部）
１２１  実績収集部
１２２  明細送信部
２２１  単価管理部
２２２  単価通知部
３２１  単価設定部（履歴記録部）
３２２  明細受信部
Ｓ４  単価取得ステップ
Ｓ６  決済情報取得ステップ
Ｓ７  利用実績データ作成ステップ，収集ステップ
Ｓ８  売上明細データ作成ステップ
Ｓ９  送信ステップ
【図１】
2018037054.tif 000003
【図２】
2018037054.tif 000004
【図３】
2018037054.tif 000005
【図４】
2018037054.tif 000006
【図５】
2018037054.tif 000007
【図６】
2018037054.tif 000008
【図７】
2018037054.tif 000009
【図８】
2018037054.tif 000010
【図９】
2018037054.tif 000011
【図１０】
2018037054.tif 000012
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
機器に対応付けされ、当該機器の利用単価を取得する単価取得部と、
前記利用単価を含む売上明細データを作成し、前記売上明細データを送信する明細送信部と、
前記明細送信部から送信された前記売上明細データを受信する明細受信部、および、前記利用単価の変更履歴を記録する履歴記録部を有する管理サーバと、
前記利用単価の変更入力を受け付ける単価変更部と、
前記機器に対応して設定された利用単価の予約データを保管する単価管理部と、
変更された前記利用単価を前記単価管理部へ通知する変更通知部と、
が設けられ、
前記単価管理部は、前記変更通知部から通知された前記利用単価の変更情報を、前記予約データに反映して更新する単価管理システム。
【請求項２】
前記管理サーバは、前記利用単価の予約設定を受け付け、受け付けた利用単価を履歴として前記履歴記憶部に記録させる単価設定部を更に有し、
前記単価取得部は、前記単価設定部または前記履歴記録部から前記受け付けた利用単価を取得することを特徴とする請求項１記載の単価管理システム。
【請求項３】
前記機器に対応して設定された利用単価の予約データを保管する単価管理部と、
前記機器の前記利用単価を当該機器に対応付けされた前記単価取得部へ通知する単価通知部と、
を有する管理端末を更に備え、
前記単価管理部は、前記予約データの変更入力を受け付けた場合、当該予約データを更新すると共に、更新データを前記履歴記録部へ送信する請求項１記載の単価管理システム。
【請求項４】
前記機器には当該機器の前記利用単価が記憶され、
前記利用単価が記憶された前記機器と情報の送受信が可能に接続され、接続された前記機器から前記利用単価を取得し、取得した前記利用単価を前記単価取得部により取得された前記利用単価の代替とする単価切替部が更に設けられている請求項１記載の単価管理システム。
【請求項５】
前記決済に用いられた電子マネーの媒体に付与された媒体の個体を識別可能な媒体情報を取得する媒体情報取得部が更に設けられ、
前記明細送信部は、前記媒体情報取得から前記媒体情報を取得し、取得した前記媒体情報を前記売上明細データに付加する請求項１から４のいずれか１項に記載の単価管理システム。
【請求項６】
前記利用単価の電子マネーによる決済時に、前記利用単価を含む利用実績データを作成する実績作成部と、
前記実績作成部が作成した前記利用実績データを収集する実績収集部と、が更に設けられ、
前記明細送信部は、収集した前記利用実績データを含む前記売上明細データを作成し、前記売上明細データを送信することを特徴とする請求項１から５のいずれか１項に記載の単価管理システム。
【請求項７】
前記利用単価は、前記機器における利用種別に対応して設定され、
前記利用実績データは、前記利用種別を含む請求項６記載の単価管理システム。
【請求項８】
前記実績収集部は、前記機器から、投入されたコインに基づく前記利用実績データを収集する請求項６または７に記載の単価管理システム。
【請求項９】
前記明細送信部は、前記決済時の日時情報および前記利用実績データに関連する前記機器の識別情報の少なくとも一方を、前記売上明細データに付加する請求項６から８のいずれか１項に記載の単価管理システム。
【請求項１０】
前記単価取得部および前記実績作成部は、前記機器毎に設置される決済端末に設けられ、
前記実績収集部および前記明細送信部は、収集端末に設けられていることを特徴とする請求項６から９のいずれか１項に記載の単価管理システム。
【請求項１１】
前記単価取得部、前記実績作成部、前記実績収集部および前記明細送信部は、一つの端末に設けられていることを特徴とする請求項６から１０のいずれか１項に記載の単価管理システム。
【請求項１２】
機器における利用単価を取得する単価取得ステップと、
取得した前記利用単価に基づく電子マネーによる決済情報を取得する決済情報取得ステップと、
前記利用単価を含む売上明細データを作成する売上明細データ作成ステップと、
作成した前記売上明細データを管理サーバに送信する送信ステップと、
前記利用単価の変更入力を受け付ける単価変更ステップと、
変更された前記利用単価の変更情報を、前記機器に対応して設定された利用単価の予約データに反映して更新する更新ステップと、
を有することを特徴とする単価管理方法。
【手続補正３】
【補正対象書類名】明細書
【補正対象項目名】０００１
【補正方法】変更
【補正の内容】
【０００１】
本発明は、機器の利用単価を管理するための単価管理システムおよび単価管理方法に関する。
【手続補正４】
【補正対象書類名】明細書
【補正対象項目名】０００６
【補正方法】変更
【補正の内容】
【０００６】
本発明は、利用単価の変更履歴に応じた機器毎の利用実績の変動を容易に把握できる単価管理システムおよび単価管理方法を提供することを目的とする。
【手続補正５】
【補正対象書類名】明細書
【補正対象項目名】００２２
【補正方法】変更
【補正の内容】
【００２２】
本発明の単価管理システムおよび単価管理方法によれば、利用単価の変更履歴に応じた機器毎の利用実績の変動を容易に把握できる。
【手続補正書】
【提出日】平成30年1月10日(2018.1.10)
【手続補正１】
【補正対象書類名】特許請求の範囲
【補正対象項目名】請求項１２
【補正方法】変更
【補正の内容】
【請求項１２】
機器に対応付けされ、当該機器の利用単価を取得する単価取得部と、
前記利用単価を含む売上明細データを作成し、前記売上明細データを送信する明細送信部と、
前記明細送信部から送信された前記売上明細データを受信する明細受信部を有する管理サーバと、
前記利用単価の変更入力を受け付ける単価変更部と、
前記機器に対応して設定された利用単価の予約データを保管する単価管理部と、
が設けられた単価管理システムによる単価管理方法であって、
前記単価取得部により前記機器における前記利用単価を取得する単価取得ステップと、
取得した前記利用単価に基づく電子マネーによる決済情報を取得する決済情報取得ステップと、
前記利用単価を含む売上明細データを前記明細送信部により作成する売上明細データ作成ステップと、
作成した前記売上明細データを前記明細送信部から前記管理サーバの前記明細受信部に送信する送信ステップと、
前記利用単価の変更入力を前記単価変更部により受け付ける単価変更ステップと、
変更された前記利用単価の変更情報を、前記単価管理部における前記機器に対応して設定された利用単価の予約データに反映して更新する更新ステップと、
を有することを特徴とする単価管理方法。